(57)【要約】【課題】  ドライバービットを脱着可能にした装着穴部を備えたドライバービット部を所謂首振り可能に保持可能にした工具用ソケットの提供。【解決手段】  円筒状のソケットの外周に摺動移動可能にカラー部材を外装してこれを所要位置に止めるようにボールを用いた構成により、ドライバービットの脱着を可能し、このドライバービット保持部の円筒状ソケットの外周に摺動移動可能にカラー部材を外装し、カラー部材の頭部に所要内径の孔部を設け、保持するドライバービットの基端側に段差部を設けて、摺動移動するカラー部材の頭部孔とドライバービットの段差部とを組み合せて、ドライバービットを首振り可能に保持する。【選択図】        図14
2008188679.tif 000002
【特許請求の範囲】
【請求項１】
円筒状のソケットの外周に摺動移動可能にカラー部材を外装してこれを所要位置に止めるボールを用いてドライバービットの脱着を可能にした工具用ソケット。
【請求項２】
ドライバービット保持部の円筒状ソケットの外周に摺動移動可能にカラー部材を外装し、カラー部材の頭部に所要内径の孔部を設け、保持するドライバービットの基端側に段差部を設けて、摺動移動するカラー部材の頭部孔とドライバービットの段差部とを組み合せて、ドライバービットを首振り可能に保持する工具用ソケット。
【請求項３】
ドライバービット保持部の円筒状ソケットの外周に摺動移動可能にカラー部材を外装し、カラー部材の頭部に所要内径の孔部を設け、保持するドライバービットの基端側に段差部を設けて、摺動移動するカラー部材の頭部孔とドライバービットの段差部とを組み合せて、ドライバービットを首振り可能に保持する工具用ソケットにおいて、当該ドライバービットの先端をソケットとし、円筒状のソケットの外周に摺動移動可能にカラー部材を外装してこれを所要位置に止めるボールを用いてドライバービットの脱着を可能にした工具用ソケット。
【発明の詳細な説明】
【技術分野】
【０００１】
この発明は、一方端にソケット穴部と他方端にドライバービットの装着穴部を備えた工具用ソケット、また、一方端に所謂首振り可能なドライバービット部と他方端にソケット穴部を備えた工具用ソケット、さらに、一方端には種々のドライバービットを脱着可能にした装着穴部を備えたドライバービット部を所謂首振り可能に保持し、他方端にはソケット穴部を備えた工具用ソケットに関する。
【背景技術】
【０００２】
各種工具用プラグを所要の角型ソケット穴に差し込んでレンチとして使用するためのソケットを内蔵した工具レンチが多用されている。特に、レンチの回転方向を切り替えられるラチェットレンチにおいて、各種工具用プラグを交換可能にすることで、1本のレンチで複数のレンチ機能を持たせることができる。
【０００３】
ラチェットレンチのレンチヘッド部には、各種工具用プラグを差し込み可能なようにソケットチャックが設けられるが、筒部の両端に角型ソケット穴を設けるいわゆる2ウェイソケットチャック付きラチェットレンチが実用化されている。
【０００４】
この角型ソケット穴を設けたレンチにおいて、1つのソケット穴に複数の口径のボルトやナットに対応させるため、種々の提案がなされている。
【特許文献１】特開平6-198571
【発明の開示】
【発明が解決しようとする課題】
【０００５】
一方、装着したドライバービットに回転工具を接続してソケット側のヘッドプラグを回転させるなどの機能を備える工具用ソケットが実用化されているが、ドライバービットが損傷すると、ソケット側は継続使用可能であってもこのソケットは廃棄されていた。
【０００６】
また、工具用ソケットにおいて、前記のドライバービットが所謂首振り可能であると、壁ぎわや容器の隅のごとく、回転工具の大きさが周囲に干渉してねじやボルトの脱着が困難となる場合も回転工具を利用できる。
【０００７】
この発明は、例えば、回転工具を接続するためのドライバービットが損傷しても、当該ビット交換で本ソケットを利用し続けられる環境にやさしい工具用ソケット、首振り可能なドライバービットを備えることで、壁ぎわや容器の隅のごとく、回転工具の大きさが周囲に干渉してねじやボルトの脱着が困難となる場合も回転工具を利用できるようにした工具用ソケット、さらにはドライバービットを脱着可能にした装着穴部を備えたドライバービット部を所謂首振り可能に保持可能にした工具用ソケットの提供を目的としている。
【課題を解決するための手段】
【０００８】
発明者らは、ソケット部でドライバービットの脱着可能にする構成、さらに所謂首振り可能に保持できる構成について種々検討した結果、円筒状のソケットの外周に摺動移動可能にカラー部材を外装してこれを所要位置に止めるようにボールを用いた構成により、ドライバービットの脱着を可能にできることを知見した。
【０００９】
また、発明者らは、さらに所謂首振り可能に保持できる構成について種々検討した結果、ドライバービット保持部の円筒状ソケットの外周に摺動移動可能にカラー部材を外装し、カラー部材の頭部に所要内径の孔部を設け、保持するドライバービットの基端側に段差部を設けて、摺動移動するカラー部材の頭部孔とドライバービットの段差部とを組み合せて、ドライバービットを首振り可能に保持できることを知見した。
【００１０】
また、発明者らは、ドライバービットを首振り可能に保持できる構成において、当該ドライバービットの先端をソケットとして他のドライバービットの脱着を可能にする構成とすることにより、種々のドライバービットを脱着可能にした装着穴部を備えたドライバービット部を所謂首振り可能に保持した構成が得られることを知見した。
【発明の効果】
【００１１】
この発明によると、一方端のソケット部が2通りのプラグサイズ違いに対応したソケット穴を備えることで2ウェイソケットとして機能し、他方端はドライバービットが交換可能であるため、ねじまわし等に転用できるだけでなく、回転工具を接続するためのドライバービットが損傷しても、当該ビット交換で本ソケットを利用し続けられる環境にやさしい工具用ソケットとなる。
【００１２】
また、この発明によると、ドライバービット側に回転工具を接続してねじやボルト用の種々ヘッドプラグをソケット穴に差し込んで該ヘッドプラグを回転させるなどの機能を備え、また、延長用ソケットとして機能する他、該ソケット部が2通りのプラグ外径サイズ違いに対応した2つのソケット穴を備えることで2ウェイソケットとして機能する。さらには、首振り可能なドライバービットを備えることで、壁ぎわや容器の隅のごとく、回転工具の大きさが周囲に干渉してねじやボルトの脱着が困難となる場合も回転工具を利用できるようにした工具用ソケットとなる。
【００１３】
また、この発明によると、ドライバービット部側に回転工具を接続してねじやボルト用の種々ヘッドプラグをソケット穴に差し込んで該ヘッドプラグを回転させるなどの機能を備え、また、延長用ソケットとして機能する他、該ソケット穴部が2通りのプラグ外径サイズ違いに対応した2つのソケット穴を備えることで2ウェイソケットとして機能する。さらには、所謂首振り可能なドライバービット部を備えることで、壁ぎわや容器の隅のごとく、回転工具の大きさが周囲に干渉してねじやボルトの脱着が困難となる場合も回転工具を利用できるようにした工具用ソケットとなる。
【発明を実施するための最良の形態】
【００１４】
図1の構成は、一方端にソケット穴部と他方端にドライバービットの装着穴部を備えた工具用ソケットであり、例えば、ラチェットレンチのヘッドプラグをソケット穴に差し込んでラチェットレンチとして使用したり、種々のドライバービットを交換装着したり、装着したドライバービットに回転工具を接続してソケット側のヘッドプラグを回転させるなどの機能を備え、また、延長用ソケットとして機能する。
【００１５】
これは、一方端のソケット部が2通りのプラグサイズ違いに対応したソケット穴を備えることで2ウェイソケットとして機能し、他方端はドライバービットが交換可能であるため、ねじまわし等に転用できるだけでなく、回転工具を接続するためのドライバービットが損傷しても、当該ビット交換で本ソケットを利用し続けられる環境にやさしい工具用ソケットである。
【００１６】
図2のA-A断面図に示すごとく、円筒状のアウターソケットの一方開口端には、6角のソケット穴部が設けられて、外周が6角相似形で内周ソケット穴が6角のインナーソケットが嵌入配置されている。従って、6角のアウターソケット穴と6角のインナーソケット穴とで内径が異なる。
【００１７】
このインナーソケットは、その内蔵側端部がアウターソケット中央部に内蔵されるばねで付勢され、また、アウターソケット外周溝から配置されるリングで所定の位置決め止着されている。
【００１８】
また、A-A断面図に示すごとく、円筒状のアウターソケットの他方端は外径が絞られた小径円筒部でドライバービットの基端を挿入して固定する装着穴部が設けてあり、前記小径円筒部には軸方向に摺動可能にカラーが外嵌され、同円筒部外周のソケット穴ばね側にリング溝が設けられてOリングが嵌着され、カラーの端部内周に傾斜溝が設けられて該Oリングが嵌まるために該溝幅長さだけカラーが移動可能になっている。
【００１９】
また、ドライバービットの装着穴部の軸方向中央の直径方向に一対のボールがそれぞれ装着穴部内へ少し侵入可能にボール孔が設けられ、ボールは通常、カラーに押されて装着穴部内に侵入し、前記カラーの軸方向中央部内に溝部を設けてボール孔位置でボールがカラー側へ移動できるようしてある。
【００２０】
図3のドライバービットを装着する状態の参考断面図1に示すように、ドライバービットの装着穴部側のカラーを外側に摺動移動させると、ボール孔位置でボールがカラー側へ移動して、装着穴部内にドライバービットを挿入でき、図4の同参考断面図2に示すように、該カラーを内側に摺動移動させると、ボール孔位置でボールがドライバービット側に移動してその外周溝部にボールが嵌められることでドライバービットが固定される。
【００２１】
図5の使用状態を示す参考図1は、本ソケットに6角ボルトがプラグとなって穴に挿入された場合であり、図7の使用状態を示す参考図3は、さらにドライバービットを装着して充電地式ドライバー機と接続して回転駆動可能にした場合を示す。また、図6の使用状態を示す参考図2は、本ソケットにプラスドライバービットを装着してその先端をねじ頭に入れた場合を示す。
【００２２】
図8の構成は、一方端に所謂首振り可能なドライバービット部と他方端にソケット穴部を備えた工具用ソケットであり、例えば、ドライバービット側に回転工具を接続してねじやボルト用の種々ヘッドプラグをソケット穴に差し込んで該ヘッドプラグを回転させるなどの機能を備え、また、延長用ソケットとして機能する他、該ソケット部が2通りのプラグ外径サイズ違いに対応した2つのソケット穴を備えることで2ウェイソケットとして機能する。
【００２３】
さらには、首振り可能なドライバービットを備えることで、壁ぎわや容器の隅のごとく、回転工具の大きさが周囲に干渉してねじやボルトの脱着が困難となる場合も回転工具を利用できるようにした工具用ソケットである。
【００２４】
図9の断面図に示すごとく、円筒状のアウターソケットの一方開口端には、6角のソケット穴部が設けられて、外周が6角相似形で内周ソケット穴が6角のインナーソケットが嵌入配置されている。従って、6角のアウターソケット穴と6角のインナーソケット穴とで内径が異なる。
【００２５】
このインナーソケットは、その内蔵側端部がアウターソケット中央部に内蔵されるばねで付勢され、また、アウターソケット外周溝から配置されるリングで所定の位置決め止着されており、インナーソケット端面はアウターソケット端よりも少し突出するように構成してある。
【００２６】
アウターソケットのソケット穴端よりインナーソケット端面部が少し突出していることにより、ラチェットレンチヘッド側のプラグとの嵌合時に、プラグをインナーソケットのソケット穴へ位置合わせ、導入が容易になるほか、アウターソケットのソケット穴へのプラグ挿入も位置合わせが容易になる機能を有している。
【００２７】
断面図に示すごとく、円筒状のアウターソケットの他方端は外径が絞られた小径円筒部であり、ドライバービットの基端を嵌入して固定する装着穴部が設けてあり、小径円筒部の外周には軸方向に摺動可能にカラーが外嵌される。すなわち、同円筒部のソケット穴ばね側にはリング溝が設けられてOリングが嵌着され、該カラーの端部内周には傾斜溝が設けられて前記Oリングが嵌まるために該溝幅長さだけカラーが移動可能になっている。外装したカラーの外端部はキャップ状であり、その中央にはドライバービットの装着穴部と同心同内径の孔部を有している。
【００２８】
また、断面図に示すごとく、小径円筒部のドライバービットの装着穴部は入口端内周に溝が設けられてOリングが配置されてドライバービットの基端部が嵌入保持され、該穴部底には弾性体収納部が設けられ、ここではばねで付勢したピンが収納され、ドライバービットの基端部を軸方向の外側に一定圧力で押圧する。
【００２９】
ドライバービットは、回転工具のモーター駆動穴に挿入するシャフト相当部分は所要の外径を有し、それ以外のカラー内の部位は基本的に大径部であり、装着穴部とカラー孔部で支持されかつ前記弾性ピンで押圧されることで、回転工具にて高速回転駆動時に振れることがない。
【００３０】
ドライバービットのカラー内の部位を詳述すると、前記装着穴部に嵌入する基端部とカラーの外端キャップの孔部に当接部位とが大径であって、その両者間は小径部である。
【００３１】
図10の断面図に示すごとく、ドライバービットの基端部は基本的に円柱であるが、挿入先端側に小径のテーパー部が設けてあり、Oリング側には前記小径部から肉盗みがされてなで肩部が設けてあり、ここでカラーをソケット側に摺動移動させると、ドライバービットの大径部がカラーの外端孔部から外れて、ドライバービットの基端部のテーパー部並びに前記小径部で規制される範囲でドライバービットを軸心から傾斜させることが可能となる。また、ドライバービットを装着穴部の軸心に合わせて真っ直ぐにしてカラーを外側に移動させると、断面図に示すごとく、元どおり固定保持することができる。
【００３２】
図11の使用状態を示す参考図1は、本ソケットに6角ボルトがプラグとなって挿入された場合であり、他方側のドライバービットを回転工具の充電地式ドライバー機に挿入接続して回転駆動可能にした場合を示す。また、図12の使用状態を示す参考図2は、壁のきわに6角ボルトを立てる(外す)場合であり、ドライバービット側のカラーをソケット側に摺動移動させて固定保持を外してドライバービットを傾斜させ、ソケット穴に6角ボルトがプラグとなって挿入されて、壁のきわで充電地式ドライバー機自体が干渉するような場合でも6角ボルトを立てる(外す)ことが可能となる。
【実施例】
【００３３】
図13の工具用ソケットは、その一方端には種々のドライバービットを脱着可能にした装着穴部を備えたドライバービット部を所謂首振り可能に保持し、他方端にはソケット穴部を備えた構成である。
【００３４】
この工具用ソケットは、ドライバービット部がドライバービットを脱着可能にしたことで種々の工具を接続することが可能となり、例えば、ドライバービット部側に回転工具を接続してねじやボルト用の種々ヘッドプラグをソケット穴に差し込んで該ヘッドプラグを回転させるなどの機能を備え、また、延長用ソケットとして機能する他、該ソケット穴部が2通りのプラグ外径サイズ違いに対応した2つのソケット穴を備えることで2ウェイソケットとして機能する。
【００３５】
さらには、所謂首振り可能なドライバービット部を備えることで、壁ぎわや容器の隅のごとく、回転工具の大きさが周囲に干渉してねじやボルトの脱着が困難となる場合も回転工具を利用できるようにした工具用ソケットである。
【００３６】
図14の断面図に示すごとく、本体である円筒状のアウターソケットの一方開口端には、6角のソケット穴部が設けられて、外周が6角相似形で内周ソケット穴が6角のインナーソケットが嵌入配置されている。従って、インナーソケットを作動させた状態を示す参考断面図に示すように、6角のアウターソケット穴と6角のインナーソケット穴とで内径が異なる。
【００３７】
このインナーソケットは、その内蔵側端部がアウターソケット中央部に内蔵されるばねで付勢され、また、アウターソケット外周溝から配置されるリングで所定の位置決め止着されており、参考斜視図に示すように、インナーソケット端面はアウターソケット端よりも少し突出するように構成してある。
【００３８】
アウターソケットのソケット穴端よりインナーソケット端面部が少し突出していることにより、ラチェットレンチヘッド側のプラグとの嵌合時に、プラグをインナーソケットのソケット穴へ位置合わせ、導入が容易になるほか、アウターソケットのソケット穴へのプラグ挿入も位置合わせが容易になる機能を有している。
【００３９】
断面図に示すごとく、円筒状のアウターソケットから他方端側へは、ばねを内蔵する中央部の外径が少し絞られ、次いでさらに外径が絞られた小径円筒部を有し、ここにはドライバービット部の基端を嵌入して固定する装着穴部が設けてあり、小径円筒部の外周には軸方向に摺動可能にカラーが外嵌される。
【００４０】
すなわち、同小径円筒部のソケット穴ばね側にはリング溝が設けられてOリングが嵌着され、該カラーの端部内周には傾斜溝が設けられて前記Oリングが嵌まるために該溝幅長さだけカラーが移動可能になっている。外装したカラーの外端部はキャップ状であり、その中央にはドライバービット部の装着穴部と同心同内径の孔部を有している。
【００４１】
断面図に示すごとく、小径円筒部のドライバービット部の装着穴部は入口端内周に溝が設けられてOリングが配置されてドライバービット部の基端部が嵌入保持され、該穴部底には弾性体収納部が設けられ、ここではばねで付勢したピンが収納され、ドライバービット部の基端部を軸方向の外側に一定圧力で押圧する。
【００４２】
ドライバービット部の外径は、先端にドライバービットを脱着可能にするチャック部を有しており、例えば回転工具のモーター駆動穴に挿入するシャフト相当部分などの装着しようとするドライバービットが挿入可能な穴部を設けることが可能な所要の外径を有し、装着穴部とカラー孔部で支持されかつ前記弾性ピンで押圧されることで、回転工具にて高速回転駆動時に振れることがない。
【００４３】
ドライバービット部のカラー内の部位を詳述すると、前記装着穴部に嵌入する基端部とカラーの外端キャップの孔部に当接部位とが前記大径であって、その両者間は小径部である。
【００４４】
断面図に示すごとく、ドライバービット部の基端部は基本的に円柱であるが、挿入先端側に小径のテーパー部が設けてあり、Oリング側には前記小径部から肉盗みがされてなで肩部が設けてあり、ビットを傾斜させた状態を示す参考断面図に示すごとく、ここでカラーをソケット側に摺動移動させると、ドライバービット部の大径部がカラーの外端孔部から外れて、ドライバービット部の基端部のテーパー部並びに前記小径部で規制される範囲でドライバービット部を軸心から傾斜させることが可能となる。
【００４５】
なお、弾性体収納部内のピンの中央にはボールが収納されてドライバービット部の基端部の端面に当接し、上述のドライバービット部を軸心から傾斜させ易くしてある。また、ドライバービット部を装着穴部の軸心に合わせて真っ直ぐにしてカラーを外側に移動させると、A-A断面図に示すごとく、元どおり固定保持することができる。
【００４６】
ドライバービット部の先端側のビットの脱着用チャック部は、A-A断面図に示すごとく、円柱部に所望のドライバービットの基端を挿入して固定するための装着穴部が設けてあり、前記装着穴部の外周には軸方向に摺動可能にカラーが外嵌され、またカラーの基端部側内周部は大径となっており、この内周部内に前記装着穴部の基端側外周に設けられたばねが位置してカラーを先端部へと付勢するが、先端部外周にリング溝が設けられてOリングが嵌着され、ここで付勢されたカラーが外れるのを防止している。
【００４７】
また、ドライバービットの装着穴部の軸方向中央の直径方向に1個のボールが装着穴部内へ少し侵入可能にボール孔が設けられ、ボールは通常、カラーに押されて装着穴部内に侵入し、前記カラーの軸方向中央部内に溝部を設けてボール孔位置でボールがカラー側へ移動できるようしてある。
【００４８】
図15のドライバービットを装着する状態の参考断面図に示すように、ドライバービットの装着穴部側のカラーを内側に摺動移動させると、ボール孔位置でボールがカラー側へ移動して、装着穴部内にドライバービットを挿入でき、図16のドライバービットを装着した状態を示す参考断面図に示すように、該カラーを外側に摺動移動させると、ボール孔位置でボールがドライバービット側に移動してその外周溝部にボールが嵌められることでドライバービットが固定される。
【００４９】
図19の使用状態を示す参考図1は、本物品のソケット穴部に6角ボルトがプラグとなって挿入された場合であり、図21の使用状態を示す参考図3に示すごとく、他方側のドライバービット部の脱着チャック部に回転工具の充電地式ドライバー機のドライバービットを挿入接続して回転駆動することができる。
【００５０】
また、図22の使用状態を示す参考図4は、壁のきわに6角ボルトを立てる(外す)場合であり、ドライバービット部側のカラーをソケット部側に摺動移動させて固定保持を外してドライバービットを傾斜させ、ソケット穴に6角ボルトがプラグとなって挿入されて、壁のきわで充電地式ドライバー機自体が干渉するような場合でも6角ボルトを立てる(外す)ことが可能となる。
【００５１】
また、図20の使用状態を示す参考図2は、ドライバービット部の脱着用チャック部にプラスドライバービットを装着してその先端をねじ頭に入れた場合を示す。
【産業上の利用可能性】
【００５２】
実施例の工具用ソケットは、ドライバービット部がドライバービットを脱着可能にしたことで種々の工具を接続することが可能となり、例えば、ドライバービット部側に回転工具を接続してねじやボルト用の種々ヘッドプラグをソケット穴に差し込んで該ヘッドプラグを回転させるなどの機能を備え、また、延長用ソケットとして機能する他、該ソケット穴部が2通りのプラグ外径サイズ違いに対応した2つのソケット穴を備えることで2ウェイソケットとして機能し、さらに、所謂首振り可能なドライバービット部を備えることで、壁ぎわや容器の隅のごとく、回転工具の大きさが周囲に干渉してねじやボルトの脱着が困難となる場合も回転工具を利用できる。
【図面の簡単な説明】
【００５３】
【図１】工具用ソケットの斜視図である。
【図２】工具用ソケットの断面図である。
【図３】ドライバービットを装着する状態の断面図である。
【図４】ドライバービットが固定される状態の断面図である。
【図５】工具用ソケットの使用状態を示す参考図である。
【図６】工具用ソケットの使用状態を示す参考図である。
【図７】工具用ソケットの使用状態を示す参考図である。
【図８】工具用ソケットの斜視図である。
【図９】ドライバービットを固定する状態の断面図である。
【図１０】ドライバービットが首振り状態のときの断面図である。
【図１１】工具用ソケットの使用状態を示す参考図である。
【図１２】工具用ソケットの使用状態を示す参考図である。
【図１３】実施例の工具用ソケットの斜視図である。
【図１４】工具用ソケットの断面図である。
【図１５】ドライバービットを装着する状態を示す断面図である。
【図１６】ドライバービットを装着した状態を示す断面図である。
【図１７】インナーソケットを作動させた状態を示す断面図である。
【図１８】ビットを傾斜させた状態を示す断面図である。
【図１９】工具用ソケットの使用状態を示す参考図である。
【図２０】工具用ソケットの使用状態を示す参考図である。
【図２１】工具用ソケットの使用状態を示す参考図である。
【図２２】工具用ソケットの使用状態を示す参考図である。
【図１】
2008188679.tif 000003
【図２】
2008188679.tif 000004
【図３】
2008188679.tif 000005
【図４】
2008188679.tif 000006
【図５】
2008188679.tif 000007
【図６】
2008188679.tif 000008
【図７】
2008188679.tif 000009
【図８】
2008188679.tif 000010
【図９】
2008188679.tif 000011
【図１０】
2008188679.tif 000012
【図１１】
2008188679.tif 000013
【図１２】
2008188679.tif 000014
【図１３】
2008188679.tif 000015
【図１４】
2008188679.tif 000016
【図１５】
2008188679.tif 000017
【図１６】
2008188679.tif 000018
【図１７】
2008188679.tif 000019
【図１８】
2008188679.tif 000020
【図１９】
2008188679.tif 000021
【図２０】
2008188679.tif 000022
【図２１】
2008188679.tif 000023
【図２２】
2008188679.tif 000024